(57)【特許請求の範囲】
【請求項１】
柔軟性を有するシートと、このシートの上面に接着剤あるいは粘着剤が塗布されて形成された粘着剤層と、この粘着剤層を覆うように着脱可能に取付けられた剥離紙と、前記シートの少なくともゴルフボール等のボールが転がってくる側の外周部を除く下面部位に取付けられた床面あるいは地面に着脱可能に固定することができる固定体とからなることを特徴とするゴルフボール等のボール止め具。
【請求項２】
ゴルフのグリーンのホールの大きさに形成された柔軟性を有するシートと、このシートの上面に接着剤あるいは粘着剤が塗布されて形成された粘着剤層と、この粘着剤層を覆うように着脱可能に取付けられた剥離紙と、前記シートの外周部を除く下面中央部位に取付けられた床面等に着脱可能に固定する固定用粘着剤層および該固定用粘着剤層を覆うように着脱可能に取付けられた固定用剥離紙とからなる固定体とを備えることを特徴とするゴルフボール等のボール止め具。
【請求項３】
ゴルフのグリーンのホールの大きさに形成された柔軟性を有し、外周部が複数個の舌片となるように多数個のスリットを有するシートと、このシートの上面に接着剤あるいは粘着剤が塗布されて形成された粘着剤層と、この粘着剤層を覆うように着脱可能に取付けられた剥離紙と、前記シートの外周部を除く下面中央部位に取付けられた床面等に着脱可能に固定する固定用粘着剤層および該固定用粘着剤層を覆うように着脱可能に取付けられた固定用剥離紙とからなる固定体とを備えることを特徴とするゴルフボール等のボール止め具。
【請求項４】
柔軟性を有するシートと、このシートの上面に接着剤あるいは粘着剤が塗布されて形成された粘着剤層と、この粘着剤層を覆うように着脱可能に取付けられた剥離紙と、前記シートの少なくともゴルフボール等のボールが転がってくる側の外周部を除く下面部位に取付けられた床面あるいは地面に着脱可能に固定することができるピン状の固定体とからなることを特徴とするゴルフボール等のボール止め具。
【発明の詳細な説明】
【０００１】
【発明の属する技術分野】
本発明はゴルフのパターの練習ボール、ゲートボールの練習ボール、ボールゲームのボール等のボール止め具に関する。
【０００２】
【従来の技術】
従来、ゴルフのパターを室内等で練習する場合、帯状の人工芝の後端部に傾斜面を形成し、該部位にホールを形成したパター練習具を用いて行なっている。
【０００３】
【発明が解決しようとする課題】
従来のパター練習具では帯状の人工芝を用いているので、ホールまでの距離と方向が限られるとともに、ホール部位が傾斜面に形成されているため、実際のグリーンのホールと異なり、練習効果が十分に得られないという欠点があった。
【０００４】
本発明は以上のような従来の欠点に鑑み、距離や方向を任意に設定することができるとともに、構造が簡単で、安価に製造でき、使い捨て状態で、どんな場所でも気軽にゴルフのパターの練習、ゲートボールの練習やボールゲーム等を楽に行なうことができるゴルフボール等のボール止め具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は柔軟性を有するシートと、このシートの上面に接着剤あるいは粘着剤が塗布されて形成された粘着剤層と、この粘着剤層を覆うように着脱可能に取付けられた剥離紙と、前記シートの少なくともゴルフボール等のボールが転がってくる側の外周部を除く下面部位に取付けられた床面あるいは地面に着脱可能に固定することができる固定体とでゴルフボール等のボール止め具を構成している。
【０００７】
【発明の実施の形態】
以下、図面に示す実施の形態により、本発明を詳細に説明する。
【０００８】
図１ないし図６に示す本発明の第１の実施の形態において、１はゴルフのパターの練習に使用することができる本発明のボール止め具で、このボール止め具１はゴルフのグリーンのホールの大きさに形成された柔軟性を有するシート２と、このシート２の上面に接着剤あるいは粘着剤が塗布されて形成された粘着剤層３と、この粘着剤層３を覆うように着脱可能に取付けられた、取り外し用のスリット４を有する剥離紙５と、前記シート２の外周部を除く下面中央部に取付けられた床面等に着脱可能に固定することができる接着剤あるいは粘着剤が塗布されて形成された固定用粘着剤層６、この固定用粘着剤層６を覆うように着脱可能に取付けられた、取り外し用のスリット７を有する固定用剥離紙８とからなる固定体９とで構成されている。
【０００９】
上記構成のボール止め具１はパターの練習ができる室内の床面に固定体９の固定用剥離紙８を除去して、固定用粘着剤層６を粘着固定する。
この状態で、ボール止め具１はグリーンのホールとなり、このホールを目掛けてゴルフボール１０をパター１１で打って転がすことにより、ホールインするゴルフボール１０は図５に示すように粘着剤層３に粘着固定され、停止する。
また、ホールインしないゴルフボール１０は実際のホールと同じように上部を通過したり、図６に示すようにボール止め具１の周縁部を通過してしまい、実際のホールと同じような状態でゴルフボールのホールインワンやホールアウトを知ることができる。
【００１０】
【発明の異なる実施の形態】
次に、図７ないし図５２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図７および図８に示す本発明の第２の実施の形態において、前記本発明の第１の実施の形態と主に異なる点は、外周部を順次上方へ突出する傾斜面１２を形成したシート２Ａを用いた点で、このように形成されたシート２Ａを用いて構成したボール止め具１Ａにしても、前記本発明の第１の実施の形態と同様な作用効果が得られるとともに、外周部の傾斜面１２によってゴルフボール１０をより確実に粘着固定させることができる。
【００１２】
図９および図１０に示す本発明の第３の実施の形態において、前記本発明の第１の実施の形態と主に異なる点は、シート２の上面の中央部を除く部位にリング状の粘着剤層３Ａを形成した点で、このように粘着剤層３Ａを形成したボール止め具１Ｂにしても、前記本発明の第１の実施の形態と同様な作用効果が得られるとともに、実際にはホールを通過するような強い転がりのゴルフボールはボール止め具１Ｂ上を通過してホールアウトさせることができる。
【００１３】
図１１ないし図１３に示す本発明の第４の実施の形態において、前記本発明の第１の実施の形態と主に異なる点は、外周部が複数個の舌片１３となるように放射状の多数個のスリット１４をシート２に形成した点で、このように形成したシート２を用いて構成したボール止め具１Ｃにしても、前記本発明の第１の実施の形態と同様な作用効果が得られるとともに、ゴルフボール１０の外周部に舌片状部が粘着して、より確実に止めることができる。
【００１４】
図１４および図１５に示す本発明の第５の実施の形態において、前記本発明の第１の実施の形態と主に異なる点は、外周部に複数個の舌片１３Ａ、１３Ｂとなるように山形状の多数個のスリット１４Ａをシート２に形成した点で、このように形成したシート２を用いて構成したボール止め具１Ｄにしても、前記本発明の第１の実施の形態と同様な作用効果が得られるとともに、ゴルフボール１０を複数個の舌片１３Ａ、１３Ｂによって効率よく止めることができる。
【００１５】
図１６および図１７に示す本発明の第６の実施の形態において、前記本発明の第１の実施の形態と主に異なる点は、外周部を山形状に形成したシート２Ｂを用いた点で、このように形成したシート２Ｂを用いて構成したボール止め具１Ｅにしても、前記本発明の第１の実施の形態と同様な作用効果が得られる。
【００１６】
図１８および図１９に示す本発明の第７の実施の形態において、前記本発明の第１の実施の形態と主に異なる点は、シート２の後部に左右方向に突出するホールアウトボールを止める外れシート１５、この外れシート１５の上面に剥離紙１６で覆われた外れ粘着剤層１７、外れシート１５の下面に剥離紙１８で覆われた外れ粘着剤層１９とからなる外れボール止め部２０を一体形成した点で、このように構成したボール止め具１Ｆにしても、前記本発明の第１の実施の形態と同様な作用効果が得られるとともに、外れたボールが遠くへ転がるのを外れボール止め部２０で止めることができる。
【００１７】
図２０ないし図２２に示す本発明の第８の実施の形態において、前記本発明の第１の実施の形態と主に異なる点は、シート２の下面中央部に画鋲を用いた固定体９Ａを固定した点で、このように構成したボール止め具１Ｇにしても、前記本発明の第１の実施の形態と同様な作用効果が得られる。
【００１８】
図２３および図２４に示す本発明の第９の実施の形態において、前記本発明の第１の実施の形態と主に異なる点は、シート２の下面中央部に地面等に差し込むことができるピンを用いた固定体９Ｂを固定した点で、このように構成したボール止め具１Ｈにすることにより、芝生等の地面に固定して前記本発明の第１の実施の形態と同様に使用することができる。
【００１９】
図２５ないし図２７に示す本発明の第１０の実施の形態において、前記本発明の第１の実施の形態と主に異なる点は、シート２の下面中央部の固定用粘着剤層６に選択的に粘着固定させることができるピン２１を用いた固定体９Ｃにした点で、このように構成したボール止め具１Ｉにしても、前記本発明の第１の実施の形態と同様な作用効果が得られる。
【００２０】
図２８ないし図３０に示す本発明の第１１の実施の形態において、前記本発明の第１の実施の形態と主に異なる点は、ゲートボールのゲートの幅寸法の長方形状のシート２Ｃと、このシート２Ｃのボールが転がってくる側の外周部を除く部位に固定体９を取付けた点で、このように構成したボール止め具１Ｊにすることにより、ゲートボールの練習を室内でも行なうことができる。
【００２１】
図３１および図３２に示す本発明の第１２の実施の形態において、前記本発明の第１１の実施の形態と主に異なる点は、２本のピンを使用する固定体９Ｄを用いた点で、このように構成したボール止め具１Ｋにしても、前記本発明の第１１の実施の形態と同様な作用効果が得られる。
【００２２】
図３３ないし図３５に示す本発明の第１３の実施の形態において、前記本発明の第１１の実施の形態と主に異なる点は、シート２Ｃの上面に粘着剤層３を通して、あるいは粘着剤層３に得点を示す複数個、本発明の実施の形態では５個の枠２２、２２、２２、２２、２２を形成した点で、このように形成されたボール止め具１Ｌはボール２３を転がして、止まった枠２２、２２、２２、２２、２２の点数によって競うゲームとして使用することができる。
【００２３】
図３６および図３７に示す本発明の第１４の実施の形態において、前記本発明の第１の実施の形態と主に異なる点は、シート２の下面中央部に取付けられた接着剤あるいは粘着剤が塗布されて形成された固定用粘着剤層６に固定された該固定用粘着剤層６の外周部よりも大きく、前記シート２の外径寸法よりも小さい固定用シート２４と、この固定用シート２４を覆うように接着剤あるいは粘着剤が塗布されて形成された固定用粘着剤層２５と、この固定用粘着剤層２５を覆うように着脱可能に取付けられた固定用剥離紙２６とからなる固定体９Ｅを用いた点で、このように構成したゴルフボール等のボール止め具１Ｍにすることにより、大きな面積の固定体９Ｅで床面等に固定することができ、畳やカーペット等にでも固定して使用することができる。
【００２４】
図３８ないし図４０に示す本発明の第１５の実施の形態において、前記本発明の第１４の実施の形態と主に異なる点は、ゴルフのグーリーンのホールの大きさに形成された固定用シート２４Ａの上面中央部に接着固定された外周部が該固定用シート２４Ａの外周部よりも小さく形成されたシート２Ｄを用いた点で、このように構成したゴルフボール等のボール止め具１Ｎにすることにより、より正確にホールにボールが入る状態を再現することができる。
なお、本発明の実施の形態ではシート２Ｄの中央部に透孔２７を形成し、該透孔２７よりも大きな径の接着テープ２８で該シート２Ｄの透孔２７の外周部と固定用シート２４Ａの中央部とを接着させて固定している。
【００２５】
図４１ないし図４３に示す本発明の第１６の実施の形態において、前記本発明の第１５の実施の形態と主に異なる点は、固定用シート２４Ａの固定用粘着剤層２５を覆う固定用剥離紙２６Ａを数回に分けて剥離して使用できるように複数個に分離除去できるようにリング状に切断されたものを使用した点で、このように構成したゴルフボール等のボール止め具１Ｏにしても、前記本発明の第１５の実施の形態と同様な作用効果が得られるとともに、固定用剥離紙２６Ａを除去した部分の固定用粘着剤層の粘着力が弱くなると他の固定用剥離紙を除去して新しい固定用粘着剤層で床面等に固定でき、使用回数の増加を図ることができる。
【００２６】
図４４ないし図４６に示す本発明の第１７の実施の形態において、前記本発明の第１６の実施の形態と主に異なる点は、シート２Ｄの粘着剤層３と固定用粘着剤層２５の中央部を覆う剥離紙５Ａを２つ折りにしたカバー状にしたものを使用した点で、このように構成したゴルフボール等のボール止め具１Ｐにしても、前記本発明の第１６の実施の形態と同様な作用効果が得られるとともに、使用後も剥離紙５Ａ内に収納して保管することができる。
【００２７】
図４７ないし図４９に示す本発明の第１８の実施の形態において、前記本発明の第１４の実施の形態と主に異なる点は、ゴルフのグリーンのホールの大きさに形成されたシート２Ｅを用いるとともに、該シート２Ｅの上面に形成した粘着剤層３の外周部の粘着力が弱くなるように塗装やシート等によって粘着ころし部２９を形成した点で、このように構成したゴルフボール等のボール止め具１Ｑにしても、前記本発明の第１４の実施の形態と同様な作用効果が得られるとともに、正確にホールにボールが入る状態を再現することができる。
【００２８】
図５０ないし図５２に示す本発明の第１９の実施の形態において、前記本発明の第１８の実施の形態と主に異なる点は、シート２Ｅの上面の外周部を除く部位に粘着剤層３Ｂを形成した点で、このように構成したゴルフボール等のボール止め具１Ｒにしても、前記本発明の第１８の実施の形態と同様な作用効果が得られる。
【００２９】
なお、本発明の各実施の形態に、固定体として磁石、吸盤、面ファスナー等を用いてもよい。
また、柔軟性を有するシートは接着剤あるいは粘着剤が塗布され粘着剤層が形成された既存の接着テープ、粘着テープ、ガムテープ等を使用してもよい。
【００３０】
【発明の効果】
以上の説明から明らかなように、本発明にあっては次に列挙する効果が得られる。
【００３１】
（１）柔軟性を有するシートと、このシートの上面に接着剤あるいは粘着剤が塗布されて形成された粘着剤層と、この粘着剤層を覆うように着脱可能に取付けられた剥離紙と、前記シートの少なくともゴルフボール等のボールが転がってくる側の外周部を除く下面部位に取付けられた床面あるいは地面に着脱可能に固定することができる固定体とで構成されているので、ゴルフボール等のボールがシート上を転がると粘着剤層によって粘着固定して停止させることができる。
したがって、ゴルフボール等のボールを正確な強さと方向に転がす練習に使用することができる。
【００３２】
（２）前記（１）によって、固定体によって床面あるいは地面に着脱可能に固定することができるので、どんな場所ででも使用することができる。
【００３３】
（３）前記（１）によって、床面や地面に着脱可能に固定することができるのでボールを転がす方向や距離を自由に設定することができ、より実戦的な練習を行なうことができる。
【００３４】
（４）前記（１）によって、シート、粘着剤層、剥離紙、固定体とで構成されるので、構造が簡単で、安価に製造することができ、使い捨て状態で使用することができる。
【００３５】
（５）請求項２、３、４も前記（１）〜（４）と同様な効果が得られる。
【図面の簡単な説明】
【図１】本発明の第１の実施の形態の分解斜視図。
【図２】本発明の第１の実施の形態の一部破断平面図。
【図３】本発明の第１の実施の形態の一部破断底面図。
【図４】図２の４−４線に沿う断面図。
【図５】本発明の第１の実施の形態のホールインした使用状態の説明図。
【図６】本発明の第１の実施の形態のホールアウトした状態の説明図。
【図７】本発明の第２の実施の形態の斜視図。
【図８】図７の８−８線に沿う断面図。
【図９】本発明の第３の実施の形態の斜視図。
【図１０】図９の１０−１０線に沿う断面図。
【図１１】本発明の第４の実施の形態の斜視図。
【図１２】本発明の第４の実施の形態の一部破断平面図。
【図１３】本発明の第４の実施の形態の使用状態の説明図。
【図１４】本発明の第５の実施の形態の斜視図。
【図１５】本発明の第５の実施の形態の一部破断平面図。
【図１６】本発明の第６の実施の形態の斜視図。
【図１７】本発明の第６の実施の形態の一部破断平面図。
【図１８】本発明の第７の実施の形態の上方から見た斜視図。
【図１９】本発明の第７の実施の形態の下方から見た斜視図。
【図２０】本発明の第８の実施の形態の分解斜視図。
【図２１】本発明の第８の実施の形態の縦断面図。
【図２２】本発明の第８の実施の形態の使用状態の説明図。
【図２３】本発明の第９の実施の形態の分解斜視図。
【図２４】本発明の第９の実施の形態の縦断面図。
【図２５】本発明の第１０の実施の形態の分解斜視図。
【図２６】本発明の第１０の実施の形態の縦断面図。
【図２７】本発明の第１０の実施の形態の使用状態の説明図。
【図２８】本発明の第１１の実施の形態の分解斜視図。
【図２９】本発明の第１１の実施の形態の平面図。
【図３０】本発明の第１１の実施の形態の側面図。
【図３１】本発明の第１２の実施の形態の分解斜視図。
【図３２】本発明の第１２の実施の形態の一部破断正面図。
【図３３】本発明の第１３の実施の形態の平面図。
【図３４】本発明の第１３の実施の形態の剥離紙を外した状態の縦断面図。
【図３５】本発明の第１３の実施の形態の使用状態の説明図。
【図３６】本発明の第１４の実施の形態の一部破断底面図。
【図３７】図３６の３７−３７線に沿う断面図。
【図３８】本発明の第１５の実施の形態の一部破断平面図。
【図３９】本発明の第１５の実施の形態の一部破断底面図。
【図４０】図３８の４０−４０線に沿う断面図。
【図４１】本発明の第１６の実施の形態の一部破断平面図。
【図４２】本発明の第１６の実施の形態の一部破断底面図。
【図４３】図４１の４３−４３線に沿う断面図。
【図４４】本発明の第１７の実施の形態の一部破断平面図。
【図４５】本発明の第１７の実施の形態の側面図。
【図４６】本発明の第１７の実施の形態の一部破断底面図。
【図４７】本発明の第１８の実施の形態の一部破断平面図。
【図４８】本発明の第１８の実施の形態の一部破断底面図。
【図４９】図４７の４９−４９線に沿う断面図。
【図５０】本発明の第１９の実施の形態の一部破断平面図。
【図５１】本発明の第１９の実施の形態の一部破断底面図。
【図５２】図５０の５２−５２線に沿う断面図。
【符号の説明】
１、１Ａ〜１Ｒ：ボール止め具、
２、２Ａ〜２Ｅ：シート、３、３Ａ、３Ｂ：粘着剤層、
４：スリット、          ５、５Ａ：剥離紙、
６：固定用粘着剤層、
７：スリット、
８：固定用剥離紙、      ９、９Ａ〜９Ｅ：固定体、
１０：ゴルフボール、
１１：パター、
１２：傾斜面、          １３、１３Ａ、１３Ｂ：舌片、
１４、１４Ａ：スリット、１５：外れシート、
１６：剥離紙、          １７：外れ粘着剤層、
１８：剥離紙、          １９：外れ粘着剤層、
２０：外れボール止め部、２１：ピン、
２２：枠、
２３：ボール、
２４、２４Ａ：固定用シート、
２５：固定用粘着剤層、  ２６、２６Ａ：固定用剥離紙、
２７：透孔、            ２８：接着テープ、
２９：粘着ころし部。
【図１】
0004189077.tif 000002
【図２】
0004189077.tif 000003
【図３】
0004189077.tif 000004
【図４】
0004189077.tif 000005
【図５】
0004189077.tif 000006
【図６】
0004189077.tif 000007
【図７】
0004189077.tif 000008
【図８】
0004189077.tif 000009
【図９】
0004189077.tif 000010
【図１０】
0004189077.tif 000011
【図１１】
0004189077.tif 000012
【図１２】
0004189077.tif 000013
【図１３】
0004189077.tif 000014
【図１４】
0004189077.tif 000015
【図１５】
0004189077.tif 000016
【図１６】
0004189077.tif 000017
【図１７】
0004189077.tif 000018
【図１８】
0004189077.tif 000019
【図１９】
0004189077.tif 000020
【図２０】
0004189077.tif 000021
【図２１】
0004189077.tif 000022
【図２２】
0004189077.tif 000023
【図２３】
0004189077.tif 000024
【図２４】
0004189077.tif 000025
【図２５】
0004189077.tif 000026
【図２６】
0004189077.tif 000027
【図２７】
0004189077.tif 000028
【図２８】
0004189077.tif 000029
【図２９】
0004189077.tif 000030
【図３０】
0004189077.tif 000031
【図３１】
0004189077.tif 000032
【図３２】
0004189077.tif 000033
【図３３】
0004189077.tif 000034
【図３４】
0004189077.tif 000035
【図３５】
0004189077.tif 000036
【図３６】
0004189077.tif 000037
【図３７】
0004189077.tif 000038
【図３８】
0004189077.tif 000039
【図３９】
0004189077.tif 000040
【図４０】
0004189077.tif 000041
【図４１】
0004189077.tif 000042
【図４２】
0004189077.tif 000043
【図４３】
0004189077.tif 000044
【図４４】
0004189077.tif 000045
【図４５】
0004189077.tif 000046
【図４６】
0004189077.tif 000047
【図４７】
0004189077.tif 000048
【図４８】
0004189077.tif 000049
【図４９】
0004189077.tif 000050
【図５０】
0004189077.tif 000051
【図５１】
0004189077.tif 000052
【図５２】
0004189077.tif 000053